(57)【特許請求の範囲】
【請求項１】
特定場所を表す特定場所情報と当該特定場所における設定状態を表す制御情報とからなる信号を送信して特定無線エリアを形成する無線機と、上記無線エリアに入った際に上記無線機から送信された特定場所情報と制御情報とからなる信号を受信する携帯無線機とからなり、
上記携帯無線機は、
上記無線エリアでの禁止された動作の実行指示或いは変更指示が使用者によって行われたときに、上記無線機から送信された特定場所情報と制御情報とからなる信号を受信し、その受信した信号に基づく特定場所情報に基づいて特定場所の名称や通話の自粛の要求や通話の自粛が要求されている理由の報知を行うと共に、受信した信号に基づく制御情報に基づいて禁止された動作の実行或いは変更を許可しない状態となることを特徴とする携帯無線機の制御方法。
【請求項２】
無線機によって形成された特定無線エリアに入った際に、当該無線機から送信された特定場所情報と制御情報とからなる信号を受信する受信手段と、
上記無線エリアでの禁止された動作の実行指示或いは変更指示が使用者によって行われたときに、該受信手段によって受信された信号に基づく特定場所情報に基づいて特定場所の名称や通話の自粛の要求や通話の自粛が要求されている理由の報知を行わせると共に、受信した信号に基づく制御情報に基づいて禁止された動作の実行或いは変更を許可しない状態とする制御手段とを設けたことを特徴とする携帯無線機。
【請求項３】
上記制御手段は、上記制御情報に基づいて禁止された動作の実行或いは変更を許可しない状態から禁止された動作の実行或いは変更を許可する状態へ戻ったとき、禁止された動作の実行或いは変更を許可する状態へと戻った旨の報知を行わせることを特徴とする請求項２記載の携帯無線機。
【発明の詳細な説明】
【０００１】
【発明の属する技術分野】
本発明は、携帯無線機の制御方法に関する
【０００２】
【従来の技術】
従来より、携帯無線機としては、基地局から送信された呼出信号を受信したときに着信音を外部放音したり（リンガ鳴動）、所定の振動を起こしたり（バイブレーション振動）して使用者に着信があったことを報知すると共に、その後に送信される信号に基づく文字や数字を画面上に表示させるページャ端末や、基地局から送信された呼出信号を受信したときに着信音を外部放音したり、所定の振動を起こしたりして使用者に着信があったことを報知すると共に、使用者による操作に基づき基地局を介して相手側装置との通信を行う携帯電話機（アナログ携帯電話機、デジタル携帯電話機、ＰＨＳ端末等）があり、このようなページャ端末や携帯電話機においては、着信があったことを報知する方法として、リンガ鳴動を行わせるか又はバイブレーション振動を行わせるかは、使用者における操作によって任意に選択することができるように構成されており、又リンガ鳴動のＯＮ／ＯＦＦや電源のＯＮ／ＯＦＦも同様に使用者における操作によって任意に選択することができるように構成されていた。
【０００３】
又、近年では、ページャ端末や携帯電話機の普及に伴って、公共性の強い場所における騒音による苦情、例えば映画館における着信音の外部放音による苦情や、携帯電話機から送信される電波によって医療機器が誤動作を起こす場合（電磁干渉）があるといった問題点があり、これら問題点を解決するものとして、特開平９−２７５５８８号公報に示されるように、送信及び受信機能を含む機能を有する複数の携帯無線機と基地局との間で無線通信するようにした移動通信システムにおいて、基地局が管轄するサービスエリア内の規制エリアに、規制用電磁波を発信する規制設定手段を設ける一方、携帯無線機に、規制設定手段からの規制用電磁波を受信する受信手段と、この受信手段が規制設定用手段からの規制用電磁波を受信した場合に携帯無線機の一部の機能（受信及び／又は送信機能）を停止させる機能停止手段とを設け、携帯無線機が規制エリア内に存在する場合において携帯無線機の一部の機能を規制したり、又は、受信手段が規制設定用手段からの規制用電磁波を受信したときに機能停止手段が携帯無線機の一部の機能を停止させ、その後更に受信手段が規制設定用手段からの規制用電磁波を受信したときに機能停止手段が携帯無線機の一部の機能の停止を解除するよう構成し、携帯無線機が規制エリア内を通過する度に携帯無線機の一部の機能の規制／解除を行うことにより、必要に応じて任意の場所について任意の時間だけ、携帯無線機の使用を規制することができるようにしたものが提案されていた。
【０００４】
【発明が解決しようとする課題】
ところが、特開平９−２７５５８８号に示されるように、移動端末が規制エリア内に存在する場合において移動端末の一部の機能を規制するものでは、使用者における繁雑な操作を要することなく、公共性の強い場所における騒音の苦情や、医療機器への妨害等を防止することができるものの、使用者は如何なる理由で動作ができないのか理解することができず、端末が故障したと誤った認識をしてしまうといった問題点があった。
【０００５】
本発明は、使用者における誤った認識の招来や繁雑な操作を要することなく、公共性の強い場所における騒音の苦情や、医療機器への妨害等を防止することができる携帯無線機を提供することを目的とするものである。
【０００６】
【課題を解決するための手段】
上記目的を達成するために、請求項１記載の発明は、特定場所を表す特定場所情報と当該特定場所における設定状態を表す制御情報とからなる信号を送信して特定無線エリアを形成する無線機と、上記無線エリアに入った際に上記無線機から送信された特定場所情報と制御情報とからなる信号を受信する携帯無線機とからなり、上記携帯無線機は、上記無線エリアでの禁止された動作の実行指示或いは変更指示が使用者によって行われたときに、上記無線機から送信された特定場所情報と制御情報とからなる信号を受信し、その受信した信号に基づく特定場所情報に基づいて特定場所の名称や通話の自粛の要求や通話の自粛が要求されている理由の報知を行うと共に、受信した信号に基づく制御情報に基づいて禁止された動作の実行或いは変更を許可しない状態となるものである。
【０００７】
上記無線機に、携帯無線機が受信可能な信号を送信して無線エリアを形成すると共に、当該送信信号に、特定場所を表す特定場所情報と当該特定場所における設定状態を表す制御情報を含ませる送信手段を設けることもできる。
【０００８】
請求項２記載の発明は、携帯無線機に、無線機によって形成された特定無線エリアに入った際に、当該無線機から送信された特定場所情報と制御情報とからなる信号を受信する受信手段と、上記無線エリアでの禁止された動作の実行指示或いは変更指示が使用者によって行われたときに、該受信手段によって受信された信号に基づく特定場所情報に基づいて特定場所の名称や通話の自粛の要求や通話の自粛が要求されている理由の報知を行わせると共に、受信した信号に基づく制御情報に基づいて禁止された動作の実行或いは変更を許可しない状態とする制御手段とを設けたものである。
【００１０】
請求項３記載の発明は、請求項２記載の発明の構成に加え、上記制御手段が、上記制御情報に基づいて禁止された動作の実行或いは変更を許可しない状態から禁止された動作の実行或いは変更を許可する状態へ戻ったとき、禁止された動作の実行或いは変更を許可する状態へと戻った旨の報知を行わせるものである。
【００１１】
従って、特定場所を表す特定場所情報と当該特定場所における設定状態を表す制御情報とからなる信号を送信して特定無線エリアを形成する無線機と、上記無線エリアに入った際に上記無線機から送信された特定場所情報と制御情報とからなる信号を受信する携帯無線機とからなり、上記携帯無線機が、上記無線機から送信された特定場所情報と制御情報とからなる信号を受信したとき、その受信した信号に基づく特定場所情報に基づいて特定場所の名称や通話の自粛の要求や通話の自粛が要求されている理由の報知を行うと共に、受信した信号に基づく制御情報に基づいて禁止された動作の実行或いは変更を許可しない状態となる構成によれば、無線機によって形成された特定無線エリアに入ることによって無線機から送信された特定場所情報と制御情報とからなる信号が受信されると、携帯無線機が、その受信された信号に基づく特定場所情報に基づいて特定場所の名称や通話の自粛の要求や通話の自粛が要求されている理由の報知を行うと共に、受信した信号に基づく制御情報に基づいて禁止された動作の実行或いは変更を許可しない状態となることにより、無線機からの信号に基づいて携帯無線機の各種状態の制御や関連報知を行うことができる。
【００１２】
上記無線機に上記送信手段を設けた場合には、送信手段が、携帯無線機が受信可能で且つ特定場所を表す特定場所情報と当該特定場所における設定状態を表す制御情報とが含まれた信号を送信して特定無線エリアを形成することにより、無線機において携帯無線機の各種状態の制御や関連報知を行うことができる。
【００１３】
携帯無線機に、無線機によって形成された特定無線エリアに入った際に、当該無線機から送信された特定場所情報と制御情報とからなる信号を受信する受信手段と、該受信手段によって受信された信号に基づく特定場所情報に基づいて特定場所の名称や通話の自粛の要求や通話の自粛が要求されている理由の報知を行わせると共に、受信した信号に基づく制御情報に基づいて禁止された動作の実行或いは変更を許可しない状態とする制御手段とを設けた構成によれば、無線機によって形成された特定無線エリアに入ると、受信手段が当該無線機から送信された特定場所情報と制御情報とからなる信号を受信し、制御手段がその受信された信号に基づく特定場所情報に基づいて特定場所の名称や通話の自粛の要求や通話の自粛が要求されている理由の報知の報知を行わせると共に、受信した信号に基づく制御情報に基づいて禁止された動作の実行或いは変更を許可しない状態とすることにより、無線機からの信号に基づいて携帯無線機の各種状態の制御や関連報知を行うことができる。
【００１４】
請求項１および請求項２に記載の発明によれば、上記無線エリアでの禁止された動作の実行指示或いは変更指示が使用者によって行われたときに、制御手段が特定場所情報に基づく特定場所の名称や通話の自粛の要求や通話の自粛が要求されている理由の報知を行わせることにより、動作の実行指示や変更指示を行ったときにおいて、なぜ動作の実行や変更ができないのかを使用者において瞬時に判断することができると共に、不必要な報知をなくすことができる。
【００１５】
請求項３記載の発明によれば、制御情報に基づいて禁止された動作の実行或いは変更を許可しない状態から禁止された動作の実行或いは変更を許可する状態へ戻ったとき、禁止された動作の実行或いは変更を許可する状態へと戻った旨の報知を行わせることにより、禁止されていた動作が実行可能になったことを使用者において瞬時に判断することができる。
【００１６】
【発明の実施の形態】
以下、本発明の実施の形態について図面を参照して詳細に説明する。
【００１７】
図１は本発明の一実施の形態である携帯無線機の制御方法を表す説明図、図２は同制御方法において用いられる無線機の電気的構成を示す概略機能ブロック図、図３は同制御方法において用いられる携帯無線機の電気的構成を示す概略機能ブロック図、図４は同携帯無線機における主制御部の一部の構成を示す機能ブロック図、図５は同携帯無線機における受信時の動作制御の一例を示すフローチャート、図６は同携帯無線機における着信時の動作制御の一例を示すフローチャート、図７は同携帯無線機における待機時の動作制御の一例を示すフローチャートである。
【００１８】
以下、本発明の一実施の形態である携帯無線機の制御方法を図１乃至図７に基づいて説明する。
【００１９】
図１乃至図４において、１は制御情報記憶部やエリア情報記憶部等からなり、後述する携帯電話機Ｂに送信する特定エリア情報や制御情報からなる信号を生成するエリア情報回路、２はエリア情報回路１において生成された信号を所定の周波数帯域の信号に変調して送信する送信回路、３は送信回路２における送信制御を行う制御回路、４は送信回路２によって偏重された信号を電波として空中に放出するアンテナであり、これらエリア情報回路１、送信回路２、制御回路３及びアンテナ４によって無線機Ａが構成されている。
【００２０】
尚、無線機Ａは、病院、映画館及びコンサートホール等のように公共性の高い場所の全体をカバーするように設置され、常時この無線機Ａからエリア情報回路１内の制御情報記憶部やエリア情報記憶部のデータに基づき生成された信号を送信回路２及びアンテナ４によって電波として空中に送信することによって特定無線エリアを特定無線エリアを形成しており、特に、病院等のように電磁干渉を起こす危険性を有する場所においては、医療機器が誤動作を起こさない電界強度以下の電波を送信することによって医療機器が誤動作を起こし得る携帯無線機からの強い電波の送出を防止する。又、エリアを効率よくカバーするために無線機Ａのアンテナ４に指向性を持たせるようにしてもよい。
【００２１】
１１は空中に漂う電波を受け取ると共に、後述する送受信部１２によって変調された信号を電波として空中に放出するアンテナ、１２はアンテナ１１によって受け取られた電波を復調して受信信号を生成すると共に、後述するベースバンド部１３や制御部２０からの信号を所定の周波数帯域の信号に変調して送信する送受信部、１３は送受信部１２によって受信された信号を音声信号に変換すると共にマイク１５によって集音された音声に所定の信号処理を施すベースバンド部、１４はベースバンド部１３によって変換された音声信号を外部に放音するスピーカ、１５は外部音声を集音してベースバンド部１３に供給するマイク、１６は着信音を外部に放音するリンガ回路、１７は着信を知らせる振動を起こすバイブレーションモータ、１８は電話番号の入力や各種命令を指示する操作パネル、１９は機器本体の各種状態を表示する表示部、２０はシステム全体を制御する主制御部であり、これらアンテナ１１、送受信部１２、ベースバンド部１３、スピーカ１４、マイク１５、リンガ回路１６、バイブレーションモータ１７、操作パネル１８、表示部１９、主制御部２０によって携帯電話機Ｂが構成されている。
【００２２】
２１は送受信部１２によって受信された信号のノイズ除去や波形整形等を行う整形回路、２２は整形回路２１を通過した受信データの判別を行う判別回路、２３は送受信部１２における送受信チャンネルの割り当て等を行う送受信制御回路、２４は機器の各種設定状況を記憶する記憶回路、２５は操作パネル１８からの各種命令、判別回路２２によって判別された受信データの内容及び記憶回路２４に記憶された各種設定状況に基づいてリンガ回路１６における放音制御、バイブレーションモータ１７における振動制御、表示部１９における表示制御及び送受信回路２３におけるチャンネル割当制御等を行う制御回路であり、これら整形回路２１、判別回路２２、送受信制御回路２３、記憶回路２４及び制御回路２５によって主制御部２０の一部が構成されている。
【００２３】
尚、本実施の形態では、病院等のように電磁干渉により医療機器等に影響を及ぼす場所を送信禁止エリアと定義し、又映画館やコンサートホール等のように公共性が高く大きな音の発生が周囲の迷惑となる場所を通話自粛エリアと定義する。
【００２４】
以下、上記のように構成された携帯電話機Ｂについて、まず、着信時の動作の一例を図５に示すフローチャートに基づいて説明する。
【００２５】
携帯電話機Ｂが待機モードに移行している状態において、図示しない基地局からの呼び出しを受けて着信モードに移行すると、制御回路２５は送受信部１２を制御し、受信チャンネルを無線機Ａの送信チャンネルにロックして無線機Ａからの送信電波のチェックを行い（ステップＦ１）、無線機Ａからの送信電波があるかないかによって現在位置が無線機Ａによって形成されたエリアかどうかを確認する（ステップＦ２）。そして、その確認の結果、無線機Ａからの送信電波がなく、現在位置が無線機Ａによって形成されたエリアではないと判断されると、制御回路２５は記憶回路２４に記憶された各種設定状況に基づいてリンガ回路１６又はバイブレーションモータ１７を駆動し着信報知を行う（ステップＦ３）。
【００２６】
一方、確認の結果、無線機Ａからの送信電波があり、現在位置が無線機Ａによって形成されたエリアであると判断された場合には（ステップＦ２）、制御回路２５はアンテナ１１を介して送受信部１２によって受信され、整形回路２１にて判別し易い波形のデータに変換された後、判別回路２２によって如何なる信号であるか判別された結果得られた制御情報と特定エリア情報を記憶回路２４へ記憶させる（ステップＦ４）と共に、その得られた制御情報に基づいて無線機Ａによって形成されたエリアが送信禁止エリアかどうかを確認する（ステップＦ５）。
【００２７】
そして、その確認の結果、無線機Ａによって形成されたエリアが送信禁止エリアであると判断される（ステップＦ５）と、制御回路２５はバイブレーションモータ１７を制御して着信を報知させる振動を起こさせる（ステップＦ６）と共に、記憶回路２４から特定エリア情報を読み出して文字や画像として表示部１９に表示させたり、音声信号に変換してスピーカ１４から放音させることによって使用者に特定エリア情報を報知し（ステップＦ７）、その後、バイブレーションモータ１７を制御して着信を報知させる振動を停止させる（ステップＦ８）と共に、着信モードを終了して待機モードに移行する。
【００２８】
尚、このとき表示又は放音される特定エリア情報としては、「病院」「送信禁止エリア」といったような特定エリアの名称のみでなく、例えば「病院内のため通話できません」「送信禁止エリアのため通話できません」といったようなメッセージであっても良い。
【００２９】
又、バイブレーションモータ１７による振動によって着信を報知することにより、周囲への迷惑を考慮するようにしたが、着信を知らせるための音自体は医療機器に影響を及ぼさないため、予め設定されている報知方法によって着信を報知するようにしても良く、又後述するモードのように病院側において定めた報知方法によって報知させるようにしても良い。
【００３０】
一方、確認の結果、無線機Ａによって形成されたエリアが送信禁止エリアでないと判断される（ステップＦ５）と、制御回路２５は記憶回路２４から制御情報を読み出して無線機Ａによって形成されたエリアが通話自粛エリアであるかどうかを確認する（ステップＦ９）。
【００３１】
そして、その確認の結果、無線機Ａによって形成されたエリアが通話自粛エリアであると判断される（ステップＦ９）と、制御回路２５はバイブレーションモータ１７を制御して着信を報知させる振動を起こさせる（ステップＦ１０）と共に、記憶回路２４から特定エリア情報を読み出して文字や画像として表示部１９に表示させたり、音声信号に変換してスピーカ１４から放音させることによって使用者に特定エリア情報を報知し（ステップＦ１１）、使用者に着信を受けるかどうかの選択を求める（ステップＦ１２）。
【００３２】
尚、このとき表示又は放音される特定エリア情報としては、「映画館」「コンサートホール」「通話自粛エリア」といったような特定エリアの名称のみでなく、例えば「映画館ですので通話は自粛ください」「コンサートホールですので通話は周りの人に迷惑のかからない場所でお願いします」「通話自粛エリアですのでなるべく通話はご遠慮ください」といったようなメッセージであっても良い。
【００３３】
そして、このような特定エリア情報の報知後（ステップＦ１１）、又は、現在位置が無線機Ａによって形成されたエリアではないと判断されて着信報知が行われた後（ステップＦ３）、使用者によって着信を受ける旨の操作が操作パネル１８によって行われる等して着信が希望された場合には（ステップＦ１２）、主制御部２０は着信モードを終了して通話モードに移行し通話動作を行い、又使用者によって着信を受けない旨の操作が操作パネル１８によって行われたり、着信を受ける旨の操作が操作パネル１８によって行われることなく図示しない基地局からの呼び出しが終了する等して着信が希望されなかった場合には（ステップＦ１２）、バイブレーションモータ１７を制御して着信を報知させる振動を停止させる（ステップＦ８）と共に、着信モードを終了して待機モードに移行する。
【００３４】
一方、無線機Ａによって形成されたエリアが通話自粛エリアであるかどうかの確認の結果、無線機Ａによって形成されたエリアが通話自粛エリアでないと判断される（ステップＦ９）と、主制御部２０は記憶回路２４から制御情報を読み出して無線機Ａによって形成されたエリアの確認を行い、その確認されたエリアに基づく動作モードに移行して所定動作を行う。尚、その他のモードとしては、例えば、公園等のように映画館やコンサートホールほど公共性が強くない場所において、そのエリアの管理側においてその携帯無線機の着信音の種類を指定するようなモードであっても良く、このようなモードを設定することにより、公園内において着信があったときに鳥のさえずりや小川のせせらぎ等のような自然な音によって着信を報知させることができるため、エリアの雰囲気にそぐわない着信音を排除することができる。
【００３５】
従って、上記動作制御によれば、無線機Ａによって形成されたエリアが送信禁止エリアである場合において、携帯電話機Ｂから電波を送信することなく、使用者に着信があったことと着信を受けられない理由を報知することができ、又無線機Ａによって形成されたエリアが通話自粛エリアである場合において、周囲に迷惑をかけることなく使用者に着信があったことと通話の自粛が要求されている理由を報知することができる。
【００３６】
次に、発信時の動作の一例を図６に示すフローチャートに基づいて説明する。
【００３７】
携帯電話機Ｂが待機モードに移行している状態において、使用者によって発信を開始する旨の操作が操作パネル１８によって行われる等して発信が希望され、発信モードに移行すると、制御回路２５は送受信部１２を制御し、受信チャンネルを無線機Ａの送信チャンネルにロックして無線機Ａからの送信電波のチェックを行い（ステップＦ２１）、無線機Ａからの送信電波があるかないかによって現在位置が無線機Ａによって形成されたエリアかどうかを確認する（ステップＦ２２）。
【００３８】
そして、確認の結果、無線機Ａからの送信電波があり、現在位置が無線機Ａによって形成されたエリアであると判断された場合には（ステップＦ２２）、制御回路２５はアンテナ１１を介して送受信部１２によって受信され、整形回路２１にて判別し易い波形のデータに変換された後、判別回路２２によって如何なる信号であるか判別された結果得られた制御情報と特定エリア情報を記憶回路２４へ記憶させる（ステップＦ２３）と共に、その得られた制御情報に基づいて無線機Ａによって形成されたエリアが送信禁止エリアかどうかを確認する（ステップＦ２４）。
【００３９】
そして、その確認の結果、無線機Ａによって形成されたエリアが送信禁止エリアであると判断される（ステップＦ２４）と、制御回路２５は記憶回路２４から特定エリア情報を読み出して文字や画像として表示部１９に表示させたり、音声信号に変換してスピーカ１４から放音させることによって使用者に特定エリア情報を報知し（ステップＦ２５）、その後、発信モードを終了して待機モードに移行する。
【００４０】
尚、このとき表示又は放音される特定エリア情報としては、「病院」「送信禁止エリア」といったような特定エリアの名称のみでなく、例えば「病院内のため通話できません」「送信禁止エリアのため通話できません」といったようなメッセージであっても良い。
【００４１】
一方、確認の結果、無線機Ａによって形成されたエリアが送信禁止エリアでないと判断される（ステップＦ２４）と、制御回路２５は記憶回路２４から制御情報を読み出して無線機Ａによって形成されたエリアが通話自粛エリアであるかどうかを確認する（ステップＦ２６）。
【００４２】
そして、その確認の結果、無線機Ａによって形成されたエリアが通話自粛エリアであると判断される（ステップＦ２６）と、制御回路２５は記憶回路２４から特定エリア情報を読み出して文字や画像として表示部１９に表示させたり、音声信号に変換してスピーカ１４から放音させることによって使用者に特定エリア情報を報知し（ステップＦ２７）、使用者に発信を行うかどうかの選択を求める（ステップＦ２８）。
【００４３】
尚、このとき表示又は放音される特定エリア情報としては、「映画館」「コンサートホール」「通話自粛エリア」といったような特定エリアの名称のみでなく、例えば「映画館ですので通話は自粛ください」「コンサートホールですので通話は周りの人に迷惑のかからない場所でお願いします」「通話自粛エリアですのでなるべく通話はご遠慮ください」といったようなメッセージであっても良い。
【００４４】
そして、このような特定エリア情報の報知後（ステップＦ２８）、使用者によって発信を行う旨の操作が操作パネル１８によって行われる等して発信が希望された場合（ステップＦ２８）、又は、現在位置が無線機Ａによって形成されたエリアではないと判断された場合（ステップＦ２２）には、入力又は読み出された電話番号を用いてダイヤル発信を行い（ステップＦ２９）、その後に発信モードを終了して通話モードに移行し、又使用者によって発信を行わない旨の操作が操作パネル１８によって行われる等して発信が希望されない場合（ステップＦ２８）には、発信モードを終了して待機モードに移行する。
【００４５】
一方、無線機Ａによって形成されたエリアが通話自粛エリアであるかどうかの確認の結果、無線機Ａによって形成されたエリアが通話自粛エリアでないと判断される（ステップＦ２６）と、主制御部２０は記憶回路２４から制御情報を読み出して無線機Ａによって形成されたエリアの確認を行い、その確認されたエリアに基づく動作モードに移行して所定動作を行う。
【００４６】
従って、上記動作制御によれば、無線機Ａによって形成されたエリアが送信禁止エリアである場合において、携帯電話機Ｂからの電波の送信を禁止することができると共に、使用者に発信を行えない理由を報知することができ、又無線機Ａによって形成されたエリアが通話自粛エリアである場合において、使用者に通話の自粛が要求されている理由を報知することができる。
【００４７】
次に、待機時の動作の一例を図７に示すフローチャートに基づいて説明する。
【００４８】
携帯電話機Ｂが待機モードに移行している状態において、制御回路２５は送受信制御回路２３を制御して制御チャンネルのスキャンを行っており、この制御チャンネルのスキャン中に無線機Ａや図示しない基地局から送信された電波がアンテナ１１を介して送受信部１２によって受信されると、制御回路２５は送受信制御回路２３を制御して受信した制御チャンネルをロックすることによって無線機Ａや図示しない基地局の電波を受信可能とし（ステップＦ３１）、且つ受信した信号の中に無線機Ａの電波が存在するかどうかによって現在位置が無線機Ａによって形成されたエリアかどうかを確認する（ステップＦ３２）。
【００４９】
そして、確認の結果、無線機Ａからの送信電波があり、現在位置が無線機Ａによって形成されたエリアであると判断された場合には（ステップＦ３２）、制御回路２５はアンテナ１１を介して送受信部１２によって受信され、整形回路２１にて判別し易い波形のデータに変換された後、判別回路２２によって如何なる信号であるか判別された結果得られた制御情報と特定エリア情報を記憶回路２４へ記憶させる（ステップＦ３３）と共に、その得られた制御情報に基づいて無線機Ａによって形成されたエリアが送信禁止エリアかどうかを確認する（ステップＦ３４）。
【００５０】
そして、その確認の結果、無線機Ａによって形成されたエリアが送信禁止エリアであると判断される（ステップＦ３４）と、制御回路２５は記憶回路２４から特定エリア情報を読み出して文字や画像として表示部１９に表示させ（ステップＦ３５）、その後、上記動作制御（ステップＦ３１〜）を繰り返し行う。
【００５１】
尚、このとき表示される特定エリア情報としては、「病院」「送信禁止エリア」といったような特定エリアの名称のみでなく、例えば「病院内のため通話できません」「送信禁止エリアのため通話できません」といったようなメッセージや病院又は送信禁止エリアを表すキャラクタであっても良い。
【００５２】
一方、確認の結果、無線機Ａによって形成されたエリアが送信禁止エリアでないと判断される（ステップＦ３４）と、制御回路２５は記憶回路２４から制御情報を読み出して無線機Ａによって形成されたエリアが通話自粛エリアであるかどうかを確認する（ステップＦ３６）。
【００５３】
そして、その確認の結果、無線機Ａによって形成されたエリアが通話自粛エリアであると判断される（ステップＦ３６）と、制御回路２５は記憶回路２４から特定エリア情報を読み出して文字や画像として表示部１９に表示させ（ステップＦ３７）、その後、上記動作制御（ステップＦ３１〜）を繰り返し行う。
【００５４】
尚、このとき表示される特定エリア情報としては、「映画館」「コンサートホール」「通話自粛エリア」といったような特定エリアの名称のみでなく、例えば「映画館ですので通話は自粛ください」「コンサートホールですので通話は周りの人に迷惑のかからない場所でお願いします」「通話自粛エリアですのでなるべく通話はご遠慮ください」といったようなメッセージや映画館又はコンサートホール又は通話自粛エリアを表すキャラクタであっても良い。
【００５５】
一方、無線機Ａによって形成されたエリアが通話自粛エリアであるかどうかの確認の結果、無線機Ａによって形成されたエリアが通話自粛エリアでないと判断される（ステップＦ３６）と、主制御部２０は記憶回路２４から制御情報を読み出して無線機Ａによって形成されたエリアの確認を行い、その確認されたエリアに基づく動作モードに移行してエリア表示や所定動作を行う。
【００５６】
他方、チャンネルスキャンの結果に基づいて現在位置が無線機Ａによって形成されたエリアではないと判断された場合には（ステップＦ３２）、制御回路２５は表示部１９にエリア表示をしているかどうかを確認し（ステップＦ３８）、その確認の結果、表示部１９にエリア表示をしていると判断されたときには（ステップＦ３８）表示部１９によるエリア表示を解除した（ステップＦ３９）後、上記動作制御（ステップＦ３１〜）を繰り返し行い、又表示部１９にエリア表示をしていないと判断されたときには（ステップＦ３８）、表示部１９によるエリア表示やその解除動作等を行うことなく、上記動作制御（ステップＦ３１〜）を繰り返し行う。
【００５７】
従って、上記動作制御によれば、使用者が表示部１９を見ながら移動することにより、携帯電話機Ｂが無線機Ａによって形成されたエリアに入ったこと、又は、エリアから出たことを使用者が即座に認識することができる。
【００５８】
尚、上記動作制御では、無線機Ａによって形成されたエリアに携帯電話機Ｂが位置する場合において、携帯電話機Ｂの表示部１９にそのエリアを表す名称やメッセージやキャラクタを表示するようにしたが、これに限定されるものではなく、無線機Ａによって形成されたエリアに入ったときに所定時間の間だけ表示部１９にそのエリアを表す名称やメッセージやキャラクタを表示させ、無線機Ａによって形成されたエリアから出たときに所定時間の間だけそのエリアから脱出したことを表すメッセージやキャラクタを表示させるようにしても良く、又音声によって知らせるようにしても良い。
【００５９】
又、本実施の形態では、病院、映画館及びコンサートホール等の全体をカバーするように無線機Ａを設置し、この無線機Ａによって形成されたエリアに位置する携帯無線機に対して各種設定状態を変更させるようにした場合について説明したが、これに限定されるものではなく、例えば、病院、映画館及びコンサートホール等の出入り口に無線機Ａを設置し、このエリアを通過する携帯無線機に対して各種設定状態の変更／解除を行わせるようにしても良い。
【００６０】
更に、携帯無線機の動作を規制する場所としては公共性の高い場所に限らず、携帯無線機からの影響を受ける医療機器（ペースメーカー等）に内蔵させたり、医療機器を使用する人が所持できるようにしても良く、又携帯無線機の所有者が運転を行っている場合等を考慮して車内に無線機Ａを設置し、このエリアを通話自粛エリア又は送信禁止エリアとしても良く、このように車内に無線機Ａを設置する場合には、無線機Ａと車の速度計とを結合する等して走行中にのみ車内を通話自粛エリア又は送信禁止エリアとするよう動作させるようにすると良い。
【００６１】
【発明の効果】
以上のように、特定場所を表す特定場所情報と当該特定場所における設定状態を表す制御情報とからなる信号を送信して特定無線エリアを形成する無線機と、上記無線エリアに入った際に上記無線機から送信された特定場所情報と制御情報とからなる信号を受信する携帯無線機とからなり、上記携帯無線機が、上記無線機から送信された特定場所情報と制御情報とからなる信号を受信したとき、その受信した信号に基づく特定場所情報に基づいて特定場所の名称や通話の自粛の要求や通話の自粛が要求されている理由の報知を行うと共に、受信した信号に基づく制御情報に基づいて禁止された動作の実行或いは変更を許可しない状態となる構成、または、上記無線機に上記送信手段を設けた構成、または、携帯無線機に、無線機によって形成された特定無線エリアに入った際に、当該無線機から送信された特定場所情報と制御情報とからなる信号を受信する受信手段と、該受信手段によって受信された信号に基づく特定場所情報に基づいて特定場所の名称や通話の自粛の要求や通話の自粛が要求されている理由の報知を行わせると共に、受信した信号に基づく制御情報に基づいて禁止された動作の実行或いは変更を許可しない状態とする制御手段とを設けた構成によれば、無線機からの信号に基づいて携帯無線機の各種状態の制御や関連報知を行うことができるため、使用者における誤った認識の招来や繁雑な操作を要することなく、公共性の強い場所における騒音の苦情や、医療機器への妨害等を防止することができる。
【００６２】
即ち、例えば、携帯無線機を所持した人が映画館やコンサートホールに入るときに、映画館やコンサートホール側においてその携帯無線機の使用の自粛を促すことができるため、他の観客への迷惑を事前に防止することができると共に、携帯無線機の所有者においてはなぜに使用が自粛されているのかを容易に認識することができるため、機器が故障したといった誤った認識を行うといったことを防止することができ、又携帯無線機を所持した人が病院に入るときに、病院側においてその携帯無線機の送信を規制することができるため、医療機器への妨害を事前に防止することができると共に、携帯無線機の所有者においてはなぜに送信が規制されているのかを容易に認識することができるため、機器が故障したといった誤った認識を行うといったことを防止することができる。
【００６３】
請求項１および請求項２に記載の発明によれば、動作の実行指示や変更指示を行ったときにおいて、なぜ動作の実行や変更ができないのかを使用者において瞬時に判断することができると共に、不必要な報知をなくすことができるため、機器が故障したといった誤った認識を行うといったことを防止することができると共に、機器本体の省電力化を図ることができる。
【００６４】
請求項３記載の発明によれば、禁止されていた動作が実行可能になったことを使用者において瞬時に判断することができるため、動作が可能になってすぐにその動作を実行することができる。
【図面の簡単な説明】
【図１】本発明の一実施の形態である携帯無線機の制御方法を表す説明図である。
【図２】同制御方法において用いられる無線機の電気的構成を示す概略機能ブロック図である。
【図３】同制御方法において用いられる携帯無線機の電気的構成を示す概略機能ブロック図である。
【図４】同携帯無線機における主制御部の一部の構成を示す機能ブロック図である。
【図５】同携帯無線機における受信時の動作制御の一例を示すフローチャートである。
【図６】同携帯無線機における着信時の動作制御の一例を示すフローチャートである。
【図７】同携帯無線機における待機時の動作制御の一例を示すフローチャートである。
【符号の説明】
１１    アンテナ
１２    送受信部
１３    ベースバンド部
１４    スピーカ
１５    マイク
１６    リンガ回路
１７    バイブレーションモータ
１８    操作パネル
１９    表示部
２０    主制御部
２１    整形回路
２２    判別回路
２３    送受信制御回路
２４    記憶回路
２５    制御回路
【図１】
0003919917.tif 000002
【図２】
0003919917.tif 000003
【図３】
0003919917.tif 000004
【図４】
0003919917.tif 000005
【図５】
0003919917.tif 000006
【図６】
0003919917.tif 000007
【図７】
0003919917.tif 000008